(57)【要約】【課題】関連する複数の実行指示を異なる機器に振り分けて実行する場合に、一方の機器での実行指示の並びに応じて他方の機器の実行指示の並びを変更することが可能な情報処理装置及びプログラムを提供する。【解決手段】情報処理装置は、関連する複数の実行指示を第１の群と第２の群とに割り当てる割り当て手段と、第１の群に割り当てられた第１の実行指示の順序に応じて、第２の群に割り当てられた第２の実行指示の順序を設定する順設定手段と、を備える。【選択図】図２
2020160501.tif 000002
【特許請求の範囲】
【請求項１】
関連する複数の実行指示を第１の群と第２の群とに割り当てる割り当て手段と、
前記第１の群に割り当てられた第１の実行指示の順序に応じて、前記第２の群に割り当てられた第２の実行指示の順序を設定する順設定手段と、
を備える、情報処理装置。
【請求項２】
前記順設定手段は、前記第１の実行指示が自装置に接続された機器に送信された順序に対応するように、前記第２の実行指示を並び替える、
請求項１に記載の情報処理装置。
【請求項３】
前記第２の実行指示により指示される印刷の部数は、前記第１の実行指示により指示される印刷の部数よりも少ない、
請求項２に記載の情報処理装置。
【請求項４】
前記順設定手段は、前記第１の実行指示が自装置に接続された機器で実行された順序に対応するように、前記第２の実行指示を並び替える、
請求項１から３のいずれか１項に記載の情報処理装置。
【請求項５】
前記順設定手段は、前記機器で印刷の実行が終了した後に、前記第２の実行指示を並び替える、
請求項４に記載の情報処理装置。
【請求項６】
コンピュータを、
関連する複数の実行指示を第１の群と第２の群とに割り当てる割り当て手段と、
前記第１の群に割り当てられた第１の実行指示の順序に応じて、前記第２の群に割り当てられた第２の実行指示の順序を設定する順設定手段
として、機能させるためのプログラム。
【発明の詳細な説明】
【技術分野】
【０００１】
本発明は、情報処理装置及びプログラムに関する。
【背景技術】
【０００２】
近年、プリントサーバがない環境や、プリンタドライバやプリンタデバイスでジョブグルーピング機能が実装されていないプリントシステム環境でも、印刷ジョブのグルーピング機能を簡易な構成で実現可能とする情報処理装置が提案されている（例えば、特許文献１参照。）。
【０００３】
特許文献１に記載された情報処理装置は、アプリケーションデータに基づく印刷ジョブを複数受け取る手段と、前記受け取る手段において受け取った複数の印刷ジョブをグルーピングし、グループジョブとして管理する手段と、前記複数の印刷ジョブのスプールが完了した後に、所定の印刷プロトコルを用いて１つのセッションで該複数の印刷ジョブを画像形成装置へ転送するように制御する手段とを有している。
【先行技術文献】
【特許文献】
【０００４】
【特許文献１】特開２００６−００４０７７号公報
【発明の概要】
【発明が解決しようとする課題】
【０００５】
本発明の課題は、関連する複数の実行指示を異なる機器に振り分けて実行する場合に、一方の機器での実行指示の並びに応じて他方の機器の実行指示の並びを変更することが可能な情報処理装置及びプログラムを提供することにある。
【課題を解決するための手段】
【０００６】
［１］関連する複数の実行指示を第１の群と第２の群とに割り当てる割り当て手段と、
前記第１の群に割り当てられた第１の実行指示の順序に応じて、前記第２の群に割り当てられた第２の実行指示の順序を設定する順設定手段と、
を備える、情報処理装置。
［２］前記順設定手段は、前記第１の実行指示が自装置に接続された機器に送信された順序に対応するように、前記第２の実行指示を並び替える、
前記［１］に記載の情報処理装置。
［３］前記第２の実行指示により指示される印刷の部数は、前記第１の実行指示により指示される印刷の部数よりも少ない、
前記［２］に記載の情報処理装置。
［４］前記順設定手段は、前記第１の実行指示が自装置に接続された機器で実行された順序に対応するように、前記第２の実行指示を並び替える、
前記［１］から［３］のいずれか１つに記載の情報処理装置。
［５］前記順設定手段は、前記機器で印刷の実行が終了した後に、前記第２の実行指示を並び替える、
前記［４］に記載の情報処理装置。
［６］コンピュータを、
関連する複数の実行指示を第１の群と第２の群とに割り当てる割り当て手段と、
前記第１の群に割り当てられた第１の実行指示の順序に応じて、前記第２の群に割り当てられた第２の実行指示の順序を設定する順設定手段
として、機能させるためのプログラム。
【発明の効果】
【０００７】
請求項１〜６に係る発明によれば、関連する複数の実行指示を異なる機器に振り分けて実行する場合に、一方の機器での実行指示の並びに応じて他方の機器の実行指示の並びを変更することができる。
【図面の簡単な説明】
【０００８】
【図１】図１は、本実施の形態に係る情報処理システムの制御系の一例を示すブロック図である。
【図２】図２は、送信順にジョブを並び替える例を示すブロック図である。
【図３】図３は、出力順にジョブを並び替える例を示すブロック図である。
【図４】図４は、本実施の形態に係る情報処理システムの動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態］
図１は、本発明の実施の形態に係る情報処理システムの制御系の一例を示すブロック図である。この情報処理システム１は、情報処理装置（以下、単に「処理装置」ともいう。）２と、処理装置２にネットワーク（不図示）等を介して接続された画像形成装置３とを有して構成されている。
【００１１】
画像形成装置３には、例えば、連帳機３Ａ（図２参照）や、カット紙プリンタ３Ｂ（図２参照）が含まれる。画像形成装置３は、機器の一例である。なお、情報処理システム１は、画像形成装置３により出力された印刷物を製本する製本機６（図２参照）をさらに備えてもよい。
【００１２】
（処理装置２の構成）
処理装置２は、例えば、ＤＥＦ（Digital Front End）装置等のサーバ装置である。処理装置２は、プリンタ管理部２０と、ジョブ受付モジュール２１と、ジョブ管理部２２と、ジョブ送信モジュール２３と、を備える。ここで、「モジュール」とは、論理的に分離することが可能な、ソフトウェア及びハードウェアを含む特定の機能を実行する単位をいう。
【００１３】
プリンタ管理部２０は、処理装置２に接続された画像形成装置３を管理するプリンタ管理モジュール２００と、印刷の実行を指示する印刷指示（以下、「ジョブ」又は「印刷ジョブ」ともいう。）の順序を監視するジョブ順監視モジュール２０１と、を備えている。
【００１４】
プリンタ管理モジュール２００は、例えば、処理装置２に接続されている画像形成装置３の消耗品（画像形成装置３が連帳機３Ａである場合、例えば、ロール等）の残量や、画像形成装置３の状況（「ステータス」ともいう。）等の各種の情報を管理する。
【００１５】
また、プリンタ管理モジュール２００は、消耗費の残量に応じて、ジョブを実行することが可能な画像形成装置３を抽出して指定する。例えば、プリンタ管理モジュール２００は、処理装置２に接続している複数の連帳機３Ａやカット紙プリンタ３Ｂの中から、後述するグループジョブを実行して出力することが可能なロールの残量を有する特定の連帳機３Ａを選択して指定する。
【００１６】
ジョブ順監視モジュール２０１は、画像形成装置３に送信されたジョブに係る順序を監視する。「ジョブに係る順序」には、例えば、処理装置２がジョブを画像形成装置３に送信した順序や、画像形成装置３でジョブが実行された順序、等が含まれる。
【００１７】
また、何らかの原因によってジョブが画像形成装置３に送信された順序と異なる順序でジョブが実行された場合、ジョブ順監視モジュール２０１は、画像形成装置３から送信される、ジョブの順序に変更が生じたことを示す情報（以下、「ジョブ順変更」ともいう。）を取得する。また、ジョブ順監視モジュール２０１は、取得した結果に応じて、ジョブが送信された順序とジョブが実行された順序とが同じか否かを確認する。
【００１８】
ジョブ受付モジュール２１は、印刷ジョブを受け付ける。印刷ジョブは、例えば、操作者（以下、「ユーザ」ともいう。）が使用する端末装置等の外部の装置から送信されたものや、画像形成装置３に対するユーザの操作により生成されたもの等が含まれる。また、ジョブ受付モジュール２１は、受け付けたジョブが特定のグループジョブ（後述する。）を構成するものか否か、すなわち、受け付けたジョブがグループジョブか否かを判定する。
【００１９】
ジョブ管理部２２は、ジョブを分割するジョブ分割モジュール２２０と、ジョブを振り分けるジョブ振り分けモジュール２２１と、ジョブの順序を設定するジョブ順設定モジュール２２２と、を備えている。ジョブ分割モジュール２２０及びジョブ振り分けモジュール２２１は、割り当て手段の一例である。ジョブ順設定モジュール２２２は、順設定手段の一例である。
【００２０】
ジョブ分割モジュール２２０は、関連する複数のジョブを含んで構成された一群のジョブ（以下、「グループジョブ」ともいう。）を、２つ以上の部分の群（以下、「サブグループ」ともいう。）に分割する。「関連する」とは、複数のジョブ共通の属性で括ることにより一つにまとめて扱うことができる状態をいう。
【００２１】
例えば、ジョブ分割モジュール２２０は、グループジョブを、連帳機３Ａに対して印刷の実行を指示するジョブからなるサブグループと、カット紙プリンタ３Ｂに対して印刷の実行を指示するジョブからなるサブグループと、の２つのサブグループに分割する。
【００２２】
また、ジョブ振り分けモジュール２２１は、プリンタ管理モジュール２００により指定された画像形成装置３にジョブの振り分けを行う。具体的には、ジョブ振り分けモジュール２２１は、ジョブ分割モジュール２２０により分割された２つ以上のサブグループに、それぞれ対応するジョブを振り分ける。より具体的には、ジョブ振り分けモジュール２２１は、例えば、画像形成装置３の属性（例えば、連帳機３Ａのロール紙の残量等）や、印刷物のサイズ等印刷物の属性に応じてジョブを振り分ける。
【００２３】
ジョブ順設定モジュール２２２は、ジョブ振り分けモジュール２２１により一のサブグループに振り分けられた複数のジョブの順序を設定する。具体的には、ジョブ順設定モジュール２２２は、振り分けられた複数のジョブの順序が互いに対応するように、複数のサブグループのうちのいずれかのサブグループ内の複数のジョブの順序を入れ替える、すなわち複数のジョブを並び替える。ここで、「順序」とは、画像形成装置３に送信する順序、すなわち、画像形成装置３に実行を指示する順序をいう。
【００２４】
好ましくは、ジョブ順設定モジュール２２２は、複数のサブグループのうち、部数の少ない方に係るサブグループ内の複数のジョブを並び替える。
【００２５】
ジョブ送信モジュール２３は、ジョブを画像形成装置３に送信する。具体的には、ジョブ送信モジュール２３は、ジョブ分割モジュール２２０による分割によって生成されたサブグループごとに、ジョブ順設定モジュール２２２により設定された順序で、ジョブを画像形成装置３に送信する。
【００２６】
（実施の形態の動作の詳細）
次に、情報処理システム１の動作の詳細について、２つの実施例を説明する。この２つの実施例は、ジョブを並び替えるときの基準とする対象が異なる点で互いに相違している。
（実施例１）ジョブが画像形成装置３に送信された順序（以下、「送信時の順番」又は単に「送信順」ともいう。）に応じてジョブを並び替える例、及び
（実施例２）ジョブが画像形成装置３から出力された順序（以下、単に「出力順」又は「出力結果順」ともいう。）に応じてジョブを入れ替える例。
なお、これら２つの実施例は、ジョブの並び替えの一例であり、これらに限定されるものではない。
【００２７】
（１）実施例１
図２は、送信順にジョブを並び替える例を示すブロック図である。以下では、一例として、Ｎ（Ｎは、自然数）個の表紙５０Ａ〜５０Ｄと、Ｎ部の本文（以下、「本身」ともいう。）５１Ａ〜５１Ｄと、１つの指示書（以下、「バナーページ」ともいう。）５００と、を含む印刷物５の印刷の実行をそれぞれ指示する複数のジョブからなるグループジョブ４Ａを例に挙げて説明する。なお、説明の便宜上、Ｎ＝４として説明するが、Ｎは、１〜３でもよく、５以上でもよい。複数のジョブは、複数の実行指示の一例である。
【００２８】
〔処理装置２の動作〕
ジョブ分割モジュール２２０は、グループジョブ４Ａを、いくつかのサブグループに分割する。ここでは、ジョブ分割モジュール２２０は、グループジョブ４Ａを、３つのサブグループ４０Ａ，４０Ｂ，４０Ｃに分割する。
【００２９】
これら３つのサブグループ４０Ａ，４０Ｂ，４０Ｃは、第１の連帳機３Ａに印刷の実行を指示する第１のサブグループ４０Ａ、第２の連帳機３Ａに印刷の実行を指示する第２のサブグループ４０Ｂ、及びカット紙プリンタ３Ｂに印刷の実行を指示する第３のサブグループ４０Ｃを含む。第１のサブグループ４０Ａ及び第２のサブグループ４０Ｂは、第１の群の一例である。第３のサブグループ４０Ｃは、第２の群の一例である。
【００３０】
なお、分割後の、第１のサブグループ４０Ａと、第２のサブグループ４０Ｂと、第３のサブグループ４０Ｃとを含んで構成されるサブグループの集合を、分割前のグループジョブ４Ａと区別して「グループジョブ４Ｂ」ともいう。また、以下の説明において、第１の連帳機３Ａ及び第２の連帳機３Ａを互いに区別して特定する必要がない場合は、両者を総称して単に「連帳機３Ａ」ともいう。
【００３１】
ジョブ振り分けモジュール２２１は、第１のサブグループ４０Ａ、第２のサブグループ４０Ｂ及び第３のサブグループ４０Ｃに、ジョブを振り分ける。図２に示す例では、ジョブ振り分けモジュール２２１は、第１のサブグループ４０Ａに、１部目の本身５１Ａ及び３部目の本身５１Ｃに係る２つのジョブを振り分け、第２のサブグループ４０Ｂに、２部目の本身５１Ｂ及び４部目の本身５１Ｄに係る２つのジョブを振り分け、第３のサブグループ４０Ｃに、表紙５０Ａ〜５０Ｄに係る４つのジョブを振り分ける。本身５１Ａ〜５１Ｄに係るジョブは、第１の実行指示の一例である。表紙５０Ａ〜５０Ｄに係るジョブは、第２の実行指示の一例である。
【００３２】
ジョブ順設定モジュール２２２は、連帳機３Ａに振り分けられたジョブの順序と、カット紙プリンタ３Ｂに振り分けられたジョブの順序と、が互いに対応するようにジョブを並び替える。
【００３３】
具体的には、ジョブ順設定モジュール２２２は、連帳機３Ａに振り分けられたジョブ、すなわち、第１のサブグループ４０Ａ及び第２のサブグループ４０Ｂに振り分けられた、１部目の本身５１Ａ、３部目の本身５１Ｃ、２部目の本身５１Ｂ、及び４部目の本身５１Ｄの順と、カット紙プリンタ３Ｂに振り分けられた、表紙５０Ａ〜５０Ｄに係る４つのジョブの順序とが、互いに対応するようにジョブを並び替える。
【００３４】
より具体的には、ジョブ順設定モジュール２２２は、連帳機３Ａに振り分けられた、１部目の本身５１Ａ、３部目の本身５１Ｃ、２部目の本身５１Ｂ、及び４部目の本身５１Ｄの順序に対応するように、カット紙プリンタ３Ｂに振り分けられた表紙５０Ａ〜５０Ｄに係る４つのジョブを、「表紙１」、「表紙３」、「表紙２」及び「表紙４」の順序になるように、並び替える（図２の斜め方向の矢印参照）。
【００３５】
次に、ジョブ送信モジュール２３は、上述したジョブの順序で、それぞれ対応する画像形成装置３にジョブを送信する。具体的には、ジョブ送信モジュール２３は、第１のサブグループ４０Ａに属する１部目の本身５１Ａに係るジョブ及び３部目の本身５１Ｃに係るジョブをこの順序で第１の連帳機３Ａに送信し、第２のサブグループ４０Ｂに属する２部目の本身５１Ｂに係るジョブ及び４部目の本身５１Ｄに係るジョブをこの順序で第２の連帳機３Ａに送信し、第３のサブグループ４０Ｃに属する表紙５０Ａ〜５０Ｄに係る４つのジョブを、ジョブ順設定モジュール２２２により並び替えられた順（すなわち、「表紙１」、「表紙３」、「表紙２」、及び「表紙４」の順序）でカット紙プリンタ３Ｂに送信する。
【００３６】
〔画像形成装置３の動作〕
画像形成装置３は、ジョブ送信モジュール２３により処理装置２から送信されたジョブを受け付ける。具体的には、第１の連帳機３Ａは、第１のサブグループ４０Ａに属するジョブを受け付ける。第２の連帳機３Ａは、第２のサブグループ４０Ｂに属するジョブを受け付ける。カット紙プリンタ３Ｂは、第３のサブグループ４０Ｃに属するジョブを受け付ける。
【００３７】
画像形成装置３は、受け付けたジョブに応じて印刷を実行する（それぞれ図２の「出力」と記載されたブロック矢印参照。）。具体的には、第１の連帳機３Ａは、１部目の本身５１Ａに係るジョブ及び３部目の本身５１Ｃに係るジョブに応じて、１部目の本身５１Ａの印刷及び３部目の本身５１Ｃの印刷をこの順序で実行する。
【００３８】
第２の連帳機３Ａは、２部目の本身５１Ｂに係るジョブ及び４部目の本身５１Ｄに係るジョブに応じて、２部目の本身５１Ｂの印刷及び４部目の本身５１Ｄの印刷をこの順序で実行する。カット紙プリンタ３Ｂは、表紙５０Ａ〜５０Ｄに係る４つのジョブの順序に応じて、「表紙１」、「表紙３」、「表紙２」、及び「表紙４」の順序で印刷を実行する。
【００３９】
〔製本機６の動作〕
画像形成装置３により出力された印刷物５は、作業者８によりそれぞれ製本機６に運ばれる（図２の破線矢印参照）。製本機６は、集められた印刷物５を冊子７にする製本を行う。
【００４０】
（２）実施例２
図３は、出力順にジョブを並び替える例を示すブロック図である。なお、図２で説明した内容と重複するものについては詳細な説明を省略し、図２と異なる点を中心に説明する。なお、図３では、分割前のグループジョブ４Ａの記載は、省略する。
【００４１】
連帳機３Ａでの出力の順序が何らかの原因によって変更された場合、すなわち、ジョブが連帳機３Ａに送信された順序と異なる順序で印刷が実行された場合、連帳機３Ａは、処理装置２に対してジョブ順変更を示す情報を通知するようになっている（図３の左向きのブロック矢印参照。）。なお、図３は、連帳機３Ａでの出力の順序が変更される場合の一例として、１部目の本身５１Ａ、３部目の本身５１Ｃ、２部目の本身５１Ｂ、及び４部目の本身５１Ｄの順序でジョブが送信され、３部目の本身５１Ｃ、１部目の本身５１Ａ、４部目の本身５１Ｄ、及び２部目の本身５１Ｂの順序で印刷物５が出力された場合を示している。
【００４２】
ジョブ順監視モジュール２０１は、連帳機３Ａからジョブ順変更を示す情報を取得する。ジョブ順監視モジュール２０１がジョブ順変更を示す情報を取得すると、ジョブ順設定モジュール２２２は、出力順に対応するよう第３のサブグループ４０Ｃ内のジョブを並び替える。
【００４３】
具体的には、図３に示すように、ジョブ順設定モジュール２２２は、上述の出力順に対応するように、すなわち、「表紙３」、「表紙１」、「表紙４」及び「表紙２」の順序になるように、第３のサブグループ４０Ｃに属する表紙５０Ａ〜５０Ｄに係る４つのジョブを並び替える。
【００４４】
（実施の形態の動作のまとめ）
次に、上述した情報処理システム１の動作をフローチャートにまとめる。図４は、本発明の実施の形態に係る情報処理システム１の動作の一例を示すフローチャートである。ジョブ受付モジュール２１は、ジョブを受け付ける。
【００４５】
次に、ジョブ受付モジュール２１は、受け付けたジョブがグループジョブに係る印刷に関するもの（以下、単に「グループジョブ印刷」ともいう。）か否かを判定する（Ｓ１）。当該ジョブが、グループジョブ印刷の場合（Ｓ１：Ｙｅｓ）、プリンタ管理モジュール２００は、連帳機３Ａにグループジョブの本身分のロール紙の残量があるか確認する（Ｓ２）。
【００４６】
連帳機３Ａにグループジョブ本身分のロール残量がある場合（Ｓ２：Ｙｅｓ）、プリンタ管理モジュール２００は、印刷プリンタを連帳機３Ａに指定する（Ｓ３）。
【００４７】
連帳機３Ａにグループジョブ本身分のロール残量がない場合（Ｓ２：Ｎｏ）、プリンタ管理モジュール２００は、複数の連帳機３Ａからグループジョブ出力可能な残量の機械セットを抽出する（Ｓ４）。
【００４８】
次に、ジョブ管理部２２は、各連帳機３Ａの残量にあわせてジョブを複数に分割する（Ｓ５）。具体的には、ジョブ分割モジュール２２０は、グループジョブをいくつかのサブグループに分割し、ジョブ振り分けモジュール２２１は、連帳機３Ａの残量に応じて、ジョブをサブグループに振り分ける。
【００４９】
次に、プリンタ管理モジュール２００は、表紙５０を印刷するカット紙プリンタ３Ｂを選択する（Ｓ６）。ジョブ送信モジュール２３は、連帳機３Ａに対応するジョブを送信する。連帳機３Ａは、処理装置２から送信されたジョブを受け付ける。
【００５０】
連帳機３Ａは、受け付けたジョブに応じて、グループジョブの本身分を印刷する（Ｓ７）。ジョブ順監視モジュール２０１は、連帳機３Ａでの出力結果順を取得して、送信時の順番と同じか否かを確認する（Ｓ８）。
【００５１】
出力結果順が送信時の順番と同じ場合（Ｓ８：Ｙｅｓ）、ジョブ送信モジュール２３は、カット紙プリンタ３Ｂ（以下、単に「カット紙」ともいう。）に表紙に係るジョブ（以下、単に「表紙ジョブ」ともいう。）を送信する（Ｓ１０）。
【００５２】
出力結果順が送信時の順番と同じでない場合（Ｓ８：Ｎｏ）、ジョブ順設定モジュール２２２は、グループジョブの本身分のジョブをプリンタでの出力順に並び替える（Ｓ１１）。また、ジョブ順設定モジュール２２２は、グループジョブの表紙分のジョブを本身ジョブ順と同じに並び替える（Ｓ１２）。
【００５３】
ジョブ送信モジュール２３は、カット紙に、並び替え後の表紙ジョブを送信する（Ｓ１０）。なお、上記のステップのうちステップＳ１０の動作は、例えば、ステップＳ６及びステップＳ７の動作の間に行ってもよい。
【００５４】
以上、本発明の実施の形態を説明したが、本発明の実施の形態は上記実施の形態に限定されるものではなく、本発明の要旨を変更しない範囲内で種々の変形、実施が可能である。例えば、上述の実施の形態では、カット紙プリンタ３Ｂに印刷を指示する第３のサブグループ４０Ｃ内のジョブの順序を変更したが、連帳機３Ａに印刷を指示する第１のサブグループ４０Ａ又は第２のサブグループ４０Ｂ内の複数のジョブの順序を第３のサブグループ４０Ｃ内の複数のジョブの順序に対応するように変更してもよい。
【００５５】
また、上述した実施例１において、連帳機３Ａ及びカット紙プリンタ３Ｂに同時的にジョブが送信された場合であっても、カット紙プリンタ３Ｂにおけるジョブの実行を一時的に停止させ、連帳機３Ａにおける印刷の実行が完了した後に、連帳機３Ａでの出力順に応じてカット紙プリンタ３Ｂにおけるジョブを並び替えて、印刷を再開するよう制御してもよい。
【００５６】
また、実施例１のように、連帳機３Ａ及びカット紙プリンタ３Ｂに同時的にジョブを送信する場合、カット紙プリンタ３Ｂでの印刷の実行が開始された後に、連帳機３Ａでの印刷の順序の変更ができないように制限してもよい。あるいは、かかる状況において、連帳機３Ａでの印刷の順序が変更される場合に、順序が変更されることを示す警告を表示してもよい。
【００５７】
また、必ずしも、グループジョブをサブグループに分割する形態に限定されるものではなく、例えば、互いに関連している複数のジョブを２つのグループに割り当てる方法であってもよい。
【００５８】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００５９】
１…情報処理システム
２…処理装置（情報処理装置）
２０…プリンタ管理部
２００…プリンタ管理モジュール
２０１…ジョブ順監視モジュール
２１…ジョブ受付モジュール
２２…ジョブ管理部
２２０…ジョブ分割モジュール
２２１…ジョブ振り分けモジュール
２２２…ジョブ順設定モジュール
２３…ジョブ送信モジュール
３…画像形成装置
３Ａ…連帳機
３Ｂ…カット紙プリンタ
４Ａ…グループジョブ（分割前）
４Ｂ…グループジョブ（分割後）
４０Ａ…第１のサブグループ
４０Ｂ…第２のサブグループ
４０Ｃ…第３のサブグループ
５…印刷物
５０，５０Ａ−５０Ｄ…表紙
５１Ａ…１部目の本身
５１Ｂ…２部目の本身
５１Ｃ…３部目の本身
５１Ｄ…４分目の本身
６…製本機
７…冊子
８…作業者
【図１】
2020160501.tif 000003
【図２】
2020160501.tif 000004
【図３】
2020160501.tif 000005
【図４】
2020160501.tif 000006